(57)【要約】【目的】構造が極めて簡単で、且つ雨水の漏れによる浸入に対して、良好な排水構成を具備した採光外囲体とすること。【構成】縦枠１と、水下横枠２と、水上横枠３と、採光板４とからなること。縦枠１が平行に配置され、水下横枠２の水下樋状部２３と、前記水上横枠３の水上樋状部３３のそれぞれの長手方向両端部は、縦枠１の主樋状部１４の内部側に位置するように配置されること。採光板支持体Ａが取付板部１５を介して金属折板屋根板から構成された外囲体Ｂの所定位置に形成された採光開口部Ｓに装着されること。【選択図】      図１
2014114555.tif 000002
【特許請求の範囲】
【請求項１】
縦主板と該縦主板の上端側に形成される被挿入部と、該被挿入部よりも下方で前記縦主板側に形成されると共に排水孔を有する排水室部と、該排水室部と隣接し且つ仕切り壁部に形成された連通孔によって前記排水室部と連通する主樋状部と、取付部とからなる縦枠と、水下主板と被挿入部と該被挿入部形成位置よりも下方に形成されると共に前記被挿入部先端よりも内方に突出する水下樋状部とからなる水下横枠と水上主板と被挿入部と該被挿入部形成位置よりも下方に形成されると共に前記被挿入部先端よりも内方に突出する水上樋状部とからなる水上横枠と、前記被挿入部に支持される採光板とからなり、前記縦枠が平行に配置され、前記水下横枠の水下樋状部と、前記水上横枠の水上樋状部のそれぞれの長手方向両端部は、前記縦枠の前記主樋状部の内部側に位置するように配置されてなる採光板支持体が前記取付板部を介して金属折板屋根板から構成された外囲体の所定位置に形成された採光開口部に装着されてなることを特徴とする採光外囲体。
【請求項２】
請求項１において、前記水下横枠の水下主板は、前記水上横枠の水上主板よりも低く形成されてなることを特徴とする採光外囲体。
【請求項３】
請求項１，２又は３のいずれか１項の記載において、前記縦枠の主樋状部には切除部が形成され、前記水下横枠の水下樋状部と、前記水上横枠の水上樋状部の長手方向両端部分は前記切除部に嵌め込まれてなることを特徴とする採光外囲体。
【請求項４】
請求項１，２又は３のいずれか１項の記載において、前記仕切り壁部の連通孔には前記主樋状部から前記排水室のみに水が流れる排水弁が装着されてなることを特徴とする採光外囲体。
【発明の詳細な説明】
【技術分野】
【０００１】
本発明は、構造が極めて簡単で、且つ雨水の漏れによる浸入に対して、良好な排水構成を具備した採光外囲体に関する。
【背景技術】
【０００２】
従来、外部の光を屋内に採り入れる屋根，壁等の採光外囲体が種々存在している。これらの多くは、屋根等を構成する建築用板の適所に開口部を設け、該開口部箇所に採光板を水密的に設けるものであった。この種の多くのものでは、透光性のあるガラス，樹脂等の採光板を取り付けるために水密性が要求されている。
【先行技術文献】
【特許文献】
【０００３】
【特許文献１】特開２００４−１６９５０７号公報
【発明の開示】
【発明が解決しようとする課題】
【０００４】
上記の採光外囲体を施工する場合において、採光板の支持枠体は、多くの部材からなり、これらを組み合わせて組み立てる作業では、多数の種々のボルト・ナット或いはビス等の固着具を使用することになり、施工に当たって極めて面倒且つ困難である。ひいては作業時間も多く、全体作業効率を低下させる要因となっていた。
【０００５】
特に、採光板を支持する場合に少なくとも２部材でその採光板の両面を挟持しつつ、屋根，壁等の外囲体の開口箇所に部材を適宜装着しながら施工するタイプのものが多い。そのために、採光板と枠体との防水構造は、特に重要であり、確実に施工されることが要求される。一般的に、防水構造を構成する部材としては、ガスケット，ゴム等のシールが使用される。
【０００６】
しかし、防水に関する部材に信頼性のあるものを使用したとしても、施工が不良であったり、或いは施工が良好であっても、部材の品質に問題があると、確実な防水性は期待することができず、さらに経年変化によって防水性が劣化することもある。本発明の目的（解決しようとする技術的課題）は、極めて簡易な構成で採光外囲体からの漏れ水を外部に排水することができる採光外囲体を提供することにある。
【課題を解決するための手段】
【０００７】
そこで、発明者は、上記課題を解決すべく、鋭意，研究を重ねた結果、請求項１の発明を、縦主板と該縦主板の上端側に形成される被挿入部と、該被挿入部よりも下方で前記縦主板側に形成されると共に排水孔を有する排水室部と、該排水室部と隣接し且つ仕切り壁部に形成された連通孔によって前記排水室部と連通する主樋状部と、取付部とからなる縦枠と、水下主板と被挿入部と該被挿入部形成位置よりも下方に形成されると共に前記被挿入部先端よりも内方に突出する水下樋状部とからなる水下横枠と水上主板と被挿入部と該被挿入部形成位置よりも下方に形成されると共に前記被挿入部先端よりも内方に突出する水上樋状部とからなる水上横枠と、前記被挿入部に支持される採光板とからなり、前記縦枠が平行に配置され、前記水下横枠の水下樋状部と、前記水上横枠の水上樋状部のそれぞれの長手方向両端部は、前記縦枠の前記主樋状部の内部側に位置するように配置されてなる採光板支持体が前記取付板部を介して金属折板屋根板から構成された外囲体の所定位置に形成された採光開口部に装着されてなる採光外囲体としたことにより、上記課題を解決したものである。
【０００８】
請求項２の発明を、請求項１において、前記水下横枠の水下主板は、前記水上横枠の水上主板よりも低く形成されてなる採光外囲体としたことにより上記課題を解決した。請求項３の発明を、請求項１，２又は３のいずれか１項の記載において、前記縦枠の主樋状部には切除部が形成され、前記水下横枠の水下樋状部と、前記水上横枠の水上樋状部の長手方向両端部分は前記切除部に嵌め込まれてなる採光外囲体としたことにより上記課題を解決した。
【０００９】
請求項４の発明を、請求項１，２又は３のいずれか１項の記載において、前記仕切り壁部の連通孔には前記主樋状部から前記排水室のみに水が流れる排水弁が装着されてなる採光外囲体としたことにより、部品数を最小限とし、且つ施工作業を簡単なものとし、作業効率を向上させ、上記課題を解決したものである。
【発明の効果】
【００１０】
請求項１の発明は、極めて簡単な構成にて、採光装置の採光板を採光板支持体に支持装着するガスケットからたとえ雨水が浸入したとしても、その雨水を採光板支持体の外部に迅速且つ効率的に排水することができる。
【００１１】
上記効果を詳述すると、採光板支持体を構成する主樋状部，水下樋状部及び水上樋状部のそれぞれの先端部分は、縦枠，水下横枠及び水上横枠のそれぞれの被挿入部の先端よりも突出する構成としたものである。
【００１２】
したがって、主樋状部，水下樋状部及び水上樋状部のそれぞれの被挿入部に挿入装着されるガスケットの略直下位置に主樋状部，水下樋状部及び水上樋状部が位置する構造となる。雨漏りは、ガスケットの装着箇所で発生し易く、しかも、ガスケットは、構成部品の中でも最も厳しい状況に晒され、硬化したり、ひび割れ等による水密性の劣化が起こりやすいものである。
【００１３】
このように、被挿入部或いは該被挿入部に挿入装着されるガスケットが経年変化により劣化したり、或いは初期からその装着状態が不具合であったために雨漏りが発生し易い状態となった場合等において、前記ガスケット箇所から、たとえ、雨漏りが生じたとしても、本発明における採光板支持体では、ガスケット箇所から漏れ出した雨水を、確実に主樋状部，水下樋状部及び水上樋状部に送り込むことができる。
【００１４】
そして、主樋状部に流入した雨水は、連通孔を介して排水室部に流れ、該排水室部の水下側に形成された排水孔から確実に枠体の外部に雨水を排出することができる。よって、本発明の採光外囲体における採光板支持体では、採光板の周囲から浸入する雨水を室内に落下させることなく、採光板支持体の外部に確実且つ効率的の排出することが出来るものである。
【００１５】
請求項２の発明では、採光板支持体における前記水下横枠の水下主板は、前記水上横枠の水上主板よりも低く形成される構成により、本発明における採光板支持体が装着された外囲体の勾配が緩い（角度が小さい）場合であったとしても、雨水は採光板支持体に装着された採光板の上面を水上側から水下側に亘って良好に流れることができる。
【００１６】
つまり、水下横枠の水下主板の上端と、採光板の上面との間に構成される段差部分の高さを最小限とし、略同一面となるように構成したものである。したがって、採光板の水下側における雨水の流れに対して障害となる物はほとんど存在しない構造にすることができ、採光板支持体及び採光板を水上側から水下側に円滑に流れるようにすることができる。
【００１７】
特に、採光板支持体が装着される外囲体の水上側と水下側との勾配が緩く（小さく）、雨水の流れに勢いが付き難くなり、雨水が溜まり易くなる条件の場合において、本発明の採光外囲体は極めて好適な構造である。
【００１８】
請求項３の発明では、前記縦枠の主樋状部には、切除部が形成され、前記水下横枠の水下樋状部と、前記水上横枠の水上樋状部の長手方向両端部分は前記切除部に嵌め込まれる構成としたことにより、両縦枠と水下横枠及び水上横枠の組付を強固にすることができる。また、枠体全体としては、高さ方向を低く設定することができ、採光板支持体をコンパクトにまとめることができる。
【００１９】
請求項４の発明では、前記仕切り壁部の連通孔には前記主樋状部から前記排水室のみに水が流れる排水弁が装着されたことにより、排水室部側に雨水が溜まっても、主樋状部に雨水が逆流することが防止できる。
【図面の簡単な説明】
【００２０】
【図１】（Ａ）は本発明の採光外囲体の要部斜視図、（Ｂ）は（Ａ）のＹ1−Ｙ1矢視拡大断面図、（Ｃ）は（Ａ）のＹ2−Ｙ2矢視拡大断面図である。
【図２】（Ａ）は縦枠の一部省略した斜視図、（Ｂ）の水下横枠の一部省略した斜視図、（Ｃ）は水上横枠の一部省略した斜視図、（Ｄ）は枠体の一部切除した斜視図である。
【図３】（Ａ）は本発明の採光板支持体の要部拡大縦断正面図、（Ｂ）は（Ａ）のＸ1−Ｘ1矢視断面図である。
【図４】採光開口部に装着された採光板支持体における漏れた雨水の流れを示す平面略示図である。
【図５】（Ａ）は採光板が装着された採光板支持体の水上側における要部拡大縦断側面図、（Ｂ）は採光板が装着された採光板支持体の水下側における要部拡大縦断側面図である。
【図６】（Ａ）は縦枠の切除部を設けられない主樋状部に水上横枠の水上樋状部を装着した実施形態の縦断正面図、（Ｂ）は（Ａ）のＹ3−Ｙ3矢視断面図である。
【図７】（Ａ）は嵌合タイプの屋根板を使用した本発明の正面略示図、（Ｂ）は（Ａ）の要部拡大断面図である。
【発明を実施するための形態】
【００２１】
以下、本発明の実施例を図面に基づいて説明する。まず、本発明は、図１，図２等に示すように、採光板支持体Ａと、採光板４と、外囲体Ｂとから構成される。前記採光板支持体Ａは、主に縦枠１と水下横枠２と水上横枠３とから構成される。
【００２２】
まず、採光板支持体Ａは、縦枠１，水下横枠２及び水上横枠３から構成された長方形或いは正方形等の方形状の枠体である〔図１（Ａ），図４等参照〕。縦枠１は、被挿入部１２と、排水室部１３と、主樋状部１４と、取付部１５とから構成される。縦主板１１は、垂直状の壁面体であり、該縦主板１１の上端側に被挿入部１２が形成される。
【００２３】
排水室部１３は、前記被挿入部１２よりも下方で且つ前記縦主板側１１に形成されると共に底部１１ｂの所定位置に排水孔１３ａが形成される。主樋状部１４は、排水室部１３と仕切り壁部１１ａを介して隣接するように形成される。そして、主樋状部１４は、仕切り壁部１１ａに形成された連通孔１１ｃによって前記排水室部１３と連通する。取付部１５は、前記排水室部１３の下部に位置して形成される〔図２(Ａ)参照〕。
【００２４】
ここで、採光板支持体Ａの内方側とは、略方形状の枠の内方側のことを言う〔図２（Ｄ），図４参照〕。そして、前記縦枠１における内方側とは、前記採光板支持体Ａの内方に面する側のことであり、採光板４の幅方向両端を支持した場合に、両縦枠１，１が対向する側の面のことをいう。また、採光板支持体Ａの前後方向とは、外囲体Ｂに装着した状態で、水上側と水下側とを結ぶ方向のことをいう〔図１（Ａ），（Ｂ）参照〕。
【００２５】
前記被挿入部１２は、下支持片１２ａと、上支持片１２ｂとから構成され、下支持片１２ａと上支持片１２ｂとの間に採光板４がガスケット５１を介して装着されるようになっている〔図３（Ａ）参照〕。排水室部１３は、前後方向に直交する断面が略長方形状に形成される。排水室部１３には、主樋状部１４が隣接して形成される。具体的には、前記排水室部１３と主樋状部１４とは、前述したように、仕切り壁部１１ａにより仕切られる。該仕切り壁部１１ａは、前記縦主板１１の内方側面と略平行に形成されている。
【００２６】
前述したように、前記仕切り壁部１１ａには、前記連通孔１１ｃが形成され、排水室部１３と隣接する主樋状部１４とは、前記連通孔１１ｃによって、雨水が流れるように連通される。また、前記排水室部１３は、周囲が包囲された管路状に形成され、後述するように主樋状部１４に溜まった雨水を排水するための部屋を構成するものである。主樋状部１４は上方が開放された構造である〔図２(Ａ)，図３（Ａ）参照〕。
【００２７】
連通孔１１ｃには、排水弁６が装着される（図３参照）。該排水弁６は、前記主樋状部１４側から排水室部１３側への水の流れのみが可能であり、その反対で排水室部１３から主樋状部１４側への水の流れは不可能となっている〔図３（Ａ）参照〕。その排水弁６は、弁枠体６ａに揺動扉６ｂが開閉自在にピン等で枢支されたものである。
【００２８】
揺動扉６ｂは、排水室部１３側に向かって一方にのみ開くことができるようになっており、その反対側、つまり主樋状部１４側に向かって開くことができないようになっている（図３参照）。その弁枠体６ａは、ゴム，合成樹脂材等にて形成され、前記連通孔１１ｃに密着状態に装着することができるようになっている。また、前記主樋状部１４と排水室部１３とを仕切る仕切り壁部１１ａには、連通孔１１ｃのみが形成され、該連通孔１１ｃに前記排水弁６が装着されない実施形態も存在する。
【００２９】
主樋状部１４は、前記縦枠１の内側面より水平方向に突出するように形成された部位であり、その樋溝状部分は、縦主板１１の前後方向（長手方向）に沿って形成されている。該主樋状部１４は、底部１４ａ，立上り側片１４ｂとから構成されている。
【００３０】
主樋状部１４の採光板支持体Ａにおける内方側の先端部分は、前記被挿入部１２の先端よりも採光板支持体Ａの内方中心側に突出する構成となっている〔図１（Ｃ），図２（Ａ），図３等参照〕。つまり、前記主樋状部１４の立上り側片１４ｂの位置は、前記被挿入部１２の内方側先端よりも採光板支持体Ａの内方中心側に位置している。
【００３１】
また、立上り側片１４ｂの水下側端部と水上側端部には略長方形状の切除部１４ｃ，１４ｃがそれぞれ形成されている〔図２(Ａ)，図３（Ｂ）参照〕。該切除部１４ｃには、後述する水下横枠２の水下樋状部２３及び水上横枠３の水上樋状部３３の長手方向両端が配置される。該排水室部１３の底部１１ｂ箇所には、排水孔１３ａが形成されており、主樋状部１４内の水は、排水孔８を介して排水室部１３から外部へ排水されるようになっている。
【００３２】
次に、取付部１５は、採光板支持体Ａを屋根，壁等の外囲体Ｂに装着する役目をなすものである〔図１（Ｃ），図３（Ａ）参照〕。取付部１５は、前記排水室部１３の下端より略垂下状に形成された板片形状のものであって、後述する連結部材７とビス等の固着具を介して、採光板支持体Ａを外囲体Ｂの採光開口部Ｓ箇所に装着するものである〔図１，図３（Ａ）等参照〕。
【００３３】
次に、前記水下横枠２は、水下主板２１と該水下主板２１の上端側に形成される被挿入部２２と、該水下主板２１の前記被挿入部２２の形成位置よりも下方に形成されると共に前記被挿入部２２の先端よりも内方に突出する水下樋状部２３とから構成される〔図２(Ｂ)，図５（Ｂ）参照〕。
【００３４】
水下横枠２の被挿入部２２は、前述した、縦枠１の被挿入部１２の構成と略同等であり、下支持片２２ａと上支持片２２ｂとから構成される。また、該上支持片２２ｂと前記水下主板２１の上端とは高さ位置が一致する構造である〔図２（Ｂ），図５（Ｂ）参照〕。
【００３５】
そして、水下横枠２の被挿入部２２と、縦枠１の被挿入部１２とが直角状に隣り合うように接合することによって、採光板支持体Ａの水下側における隅角が構成する〔図２（Ｄ）参照〕。前記縦枠１の下支持片１２ａと上支持片１２ｂと同様に、水下横枠２の下支持片２２ａと上支持片２２ｂの間に採光板４がガスケット５１を介して装着されるようになっている。
【００３６】
前記水下樋状部２３は、前述したように、被挿入部２２の下方に形成され、樋底面２３ａと立上り側片２３ｂとからなり、これらによって断面略Ｌ字形状に形成される〔図２（Ｂ），図５（Ｂ）参照〕。水下樋状部２３の採光板支持体Ａにおける内方側の先端部分は、前記被挿入部２２の先端よりも採光板支持体Ａの内方中心側に突出する構成となっている〔図２（Ｂ）等参照〕。つまり、前記水下樋状部２３の立上り側片２３ｂの位置は、前記被挿入部２２の内方側先端よりも採光板支持体Ａの内方中心側に位置している。
【００３７】
また、水下主板２１の外面側には水平状に突出する支持片２４が形成されている。該支持片２４は、外囲体Ｂに装着したときの安定性を確保する役目をなすと共に、水下主板２１の高さの下端基準位置となる〔図５（Ｂ）参照〕。
【００３８】
水上横枠３は、前記水下横枠２と一部の形状を除いて、略同等の構成であり、水上主板３１と該水上主板３１の上端側に形成される被挿入部３２と、該水上主板３１の前記被挿入部３２形成位置よりも下方に形成されると共に前記被挿入部３２の先端よりも内方に突出する水上樋状部３３とから構成される〔図２(Ｃ)，図５（Ａ）参照〕。
【００３９】
前記被挿入部３２は、前述した縦枠１の被挿入部１２及び水下横枠２の被挿入部２２等と略同等の構成であり、下支持片３２ａと上支持片３２ｂとから構成される。水上樋状部３３の採光板支持体Ａにおける内方側の先端部分は、前記被挿入部３２の先端よりも採光板支持体Ａの内方中心側に突出する構成となっている〔図２（Ｂ）等参照〕。つまり、前記水上樋状部３３の立上り側片３３ｂの位置は、前記被挿入部３２の内方側先端よりも採光板支持体Ａの内方中心側に位置している。
【００４０】
また、該上支持片３２ｂと前記水上主板３１の上端とは高さ位置が一致する構造である〔図２（Ｃ），図５（Ａ）参照〕。そして、水上横枠３の被挿入部３２と、縦枠１の被挿入部１２とが直角状に隣り合うように接合することによって、採光板支持体Ａの水上側における隅角が構成する〔図２（Ｄ）参照〕。縦枠１の下支持片１２ａと上支持片１２ｂと同様に、水上横枠３の下支持片３２ａと上支持片３２ｂの間に採光板４がガスケット５１を介して装着されるようになっている。
【００４１】
前記水上樋状部３３は、樋底面３３ａと立上り側片３３ｂとからなり、これらによって断面略Ｌ字形状に形成される。また、水上主板３１の外面側には水平状に突出する支持片３４が形成されている。支持片３４は、外囲体Ｂに装着したときの安定性を確保する役目をなすと共に、水上主板３１の高さの下端基準位置となる〔図５（Ａ）参照〕。したがって、採光板支持体Ａにおいて、前記水下横枠２の支持片２４と、水上横枠３の支持片３４との高さ方向の位置は同一となるように構成される。
【００４２】
そして、前記水下横枠２の水下主板２１の下端基準位置とした支持片２４からの高さＨａは、水上横枠３の水上主板３１の下端基準位置とした支持片３４からの高さＨｂよりも低く形成されている（図５参照）。具体的には、水下主板２１の横幅の両端を残して中間箇所を低く形成したものである〔図２（Ｂ），（Ｃ），図５等参照〕。
【００４３】
つまり、
2014114555.tif 000003
となる。
【００４４】
上記構成では、水下横枠２の水下主板２１は高さを低く設定すると共に、被挿入部２２も下支持片２２ａと上支持片２２ｂとの間隔も狭くし、特に上支持片２２ｂと、被挿入部２２にガスケット５１を介して挿入される採光板４の上面との間に生じる段差を最小限とし、段差の高さ寸法を微小なものとした〔図５（Ｂ）参照〕。
【００４５】
このような構成にすることによって、採光板４を装着した採光板支持体Ａでは、該採光板支持体Ａに装着された採光板４上面の水上側から水下側に向かって良好に流れることができ、雨水が採光板支持体Ａに装着された採光板４上に留まることを防止することができる。特に、本発明における採光板支持体Ａを装着する外囲体Ｂの水上側から水下側の方向における勾配が緩い場合の雨水の流れを良好なものとするには好適な構成となる。
【００４６】
次に、連結部材７は、外囲体Ｂに形成された採光開口部Ｓにおいて、幅方向に対向する建築用板８，８の連結用屈曲部８３，８３に装着され、該連結用屈曲部８３，８３に前記縦枠１，１を採光開口部Ｓに取り付ける役目をなすものである〔図１（Ｃ），図３（Ａ）参照〕。連結部材７は、前記採光開口部Ｓの長手方向と略同等寸法の長尺部材であり柔軟な合成樹脂，ウレタン，ゴム等が使用される。
【００４７】
連結部材７は、正方形等の断面略方形状に形成され、その一側面部の形状は、外囲体Ｂを構成する建築用板８の連結用屈曲部８３の外方側の形状に等しい形状に形成されている〔図１（Ｃ），図３（Ａ）参照〕。具体的には、その連結用屈曲部８３が馳締タイプとした場合には、その馳箇所の形状に沿うように円弧形状の凹部が連結部材７の一側面に形成されたものである。また、連結部材７は、採光開口部Ｓと水密性及び防水性を確保するものである。
【００４８】
次に、採光板４は、ガラス，アクリル等の透明又は乳白色等であり、ガラス板の場合には網入りガラスが使用されることもある。また、ガスケット５１は、採光板４の幅方向端部が挿入される挿入溝５１ａが形成されることもあり、その外部には前記被挿入部１２，２２，３２の上下端縁に係止する被係止溝５１ｂ，５１ｂが形成されている。
【００４９】
ただし、水下横枠２の被挿入部２２に装着されるガスケット５１は、他のガスケット５１とは形状が僅かに異なり、挿入溝５１ａの上端の肉厚が他のガスケット５１よりも薄く形成されている（図５等参照）。
【００５０】
また、ガスケット５１と共に、シール材５２が使用され、具体的には。前記ガスケット５１は前記採光板４を支持する役目をなし、シール材５２は採光板支持体Ａを構成する縦枠１，水下横枠２及び水上横枠３の各被挿入部１２，２２及び３２と採光板４との隙間を水密的に収める役目をなすものである。
【００５１】
採光板支持体Ａは、ガスケット５１が縦枠１，水下横枠２及び水上横枠３のそれぞれの被挿入部１２，２２及び３２に装着される。そして、２本の縦枠１，１を平行に配置し、両縦枠１，１の水下側となる位置には水下横枠２が装着され、両縦枠１，１の水上側となる位置には水上横枠３が装着される〔図１（Ａ），（Ｂ），図２（Ｄ）参照〕。
【００５２】
このとき水下横枠２の水下樋状部２３は、両縦枠１，１の主樋状部１４，１４の水下側端部に形成される切除部１４ｃ，１４ｃに挿入するように装着される（図２，図３及び図５等参照）。また、水上横枠３の水上樋状部３３は、両縦枠１，１の主樋状部１４，１４の水上側端部に形成される切除部１４ｃ，１４ｃに挿入するように装着される。また、両縦枠１，１の主樋状部１４，１４に前記切除部１４ｃ，１４ｃが形成されない実施形態も存在する（図６参照）。この実施形態では、水下樋状部２３及び水上樋状部３３は、単に主樋状部１４，１４の立上り側片１４ｂの上端に設置されることになる。
【００５３】
次に、外囲体Ｂを構成する建築用板８，８，…には、種々のタイプが存在する。特に、大別すると、折板タイプ，フラットタイプ及び瓦棒タイプである。建築用板８の第１タイプは、図１２（Ａ），（Ｂ）に示すように、馳締折板タイプであり、主板８１の幅方向両側に傾斜状の立上り側部８２，８２が形成され、前記連結用屈曲部８３，８３が馳締による連結構造としたものである。
【００５４】
すなわち、建築用板８，８，…の両連結用屈曲部８３，８３の内、その一方を下馳部８３ａとし、他方を上馳部８３ｂとしたものである。そして、母屋，胴縁等の構造材８５上に所定間隔をおいて配置固着された受具８４，８４，…に複数の建築用板８，８が並設され、隣接する建築用板８，８の対向する連結用屈曲部８３，８３が、前記受具８４上において吊子と共に下馳部８３ａと上馳部８３ｂとが順次馳締めされることによって、屋根，壁等の外囲体Ｂが施工される〔図１(Ａ)，（Ｂ）参照〕。
【００５５】
第１タイプの建築用板８において、隣接する建築用板８，８，…を適宜に離間させ、対向する下馳部８３ａと上馳部８３ｂとの間には所定の間隔が形成され、これを採光開口部Ｓとする。該採光開口部Ｓ箇所に位置する前記下馳部８３ａと前記上馳部８３ｂに連結部材７がそれぞれの装着され、該連結部材７により採光板支持体Ａと共に採光板４等が装着され採光装置が構成される。
【００５６】
前記採光開口部Ｓにおいて幅方向に隣接対向する建築用板８，８における下馳部８３ａと上馳部８３ｂは、馳部固定吊子８６によって、前記受具８４上に固定される〔図１（Ｃ），図３（Ａ）参照〕。馳部固定吊子８６は、長手方向に沿って長尺形成された部材であり、下馳用と上馳用が存在し、前記下馳部８３ａに対してはその上面側方を覆うようにして受具８４上に固定し、上馳部８３ｂに対してはその下面側に入り込むようにして受具８４上に固定する〔図１(Ｃ)参照〕。
【００５７】
また、建築用板８の第２タイプは、嵌合折板タイプであり、主板８１の幅方向両側に立上り側部８２，８２が形成され、両立上り側部８２，８２上に、嵌合部屈曲部８３ｃ，８３ｃが形成されたものである。そして、第１タイプの建築用板８による外囲体Ｂの施工と同様に、構造材８５上に所定間隔をおいて配置固着された受具８４，８４，…に複数の建築用板８，８が並設され、隣接する建築用板８，８の対向する連結用屈曲部８３，８３が、前記受具８４上に吊子と共に両嵌合部屈曲部８３ｃ，８３ｃが固定されると共にキャップ材８３ｄが被せられて嵌合固定され、屋根，壁等の外囲体Ｂが構成されるものである（図７参照）。
【００５８】
建築用板８の第２タイプにおいて、前記採光開口部Ｓに採光板支持体Ａを装着する構造は、第１タイプの建築用板８の場合と略同様であり、採光開口部Ｓにおいて幅方向に隣接対向する建築用板８，８における両嵌合部屈曲部８３ｃ，８３ｃは、嵌合吊子８７によって、前記受具８４上に固定される〔図７（Ｂ）参照〕。
【００５９】
採光装置の装着箇所では、隣接する建築用板８，８を適宜に離間させ、対向する両連結用屈曲部８３，８３には、所定の間隔が形成され、これが採光開口部Ｓとなる。該採光開口部Ｓ箇所に前記連結部材７が装着され、該連結部材７により採光板支持体Ａ，Ａとともに採光板４等が装着され採光装置が構成される。
【００６０】
外囲体Ｂの採光開口部Ｓに採光板支持体Ａが装着された状態で、該採光板支持体Ａの水下側には面戸９１が装着される〔図１（Ａ），（Ｂ），図５（Ｂ）参照〕。該面戸９１は、前記水下横枠２の支持片２４を利用して固着される。
【００６１】
面戸９１は、水下横枠２の支持片２４の下面側にビス等の固着具を介して装着されると共に、外囲体Ｂ側では、隣接する建築用板８，８の対向する立上り側部８２，８２によって構成される谷状部に配置される〔図１（Ａ），（Ｂ）及び図５（Ｂ）参照〕。
【００６２】
また、採光板支持体Ａが装着された外囲体Ｂの水上側領域には、覆い材９２が装着される〔図１（Ａ），（Ｂ），図５（Ａ）参照〕。該覆い材９２は平坦状の頂面板９２ａの幅方向両端から側板９２ｂ，９２ｂが形成されたものである。覆い材９２は、頂面板９２ａの（水下側の）端縁を採光板支持体Ａの水上主板３１の上端箇所に当接させるか、或いは水上横枠３の被挿入部３２の上支持片２２ｂに重合させるようにして配置される。
【００６３】
そして、頂面板９２ａは、外囲体Ｂの採光板支持体Ａが装着された位置から水上側の領域で、隣接する山形部間に構成された谷部を覆うものである。したがって、頂面板９２ａによって、雨水は、採光板支持体Ａの装着箇所における水上側より水下側に向かって採光板４上を良好に流れることができる。覆い材９２の側板９２ｂ，９２ｂは、建築用板８の傾斜状の立上り側部８２，８２に沿うようにして配置され、防水性を有するビス等の固着具にて固着される。
【００６４】
次に、本発明の作用について説明する。この作用とは、採光板支持体Ａに装着された採光板４の周囲から浸入した雨水を、採光板支持体Ａの外部に迅速に排水する作用のことである。前述した雨水の浸入とは、例えば採光板４を採光板支持体Ａに装着するためのガスケット５１及びシール材５２の長期間に亘って生じる性能劣化によって起きるものである。ガスケット５１及びシール材５２は、採光板支持体Ａを構成する縦枠１，水下横枠２及び水上横枠３のそれぞれの被挿入部１２，２２，３２に装着されたものである。
【００６５】
また、採光板支持体Ａにおいて、前記主樋状部１４，水下樋状部２３及び水上樋状部３３の樋幅方向のそれぞれの先端は、縦枠１，水下横枠２及び水上横枠３のそれぞれの被挿入部１２，２２，３２の先端よりも突出する構成である。
【００６６】
したがって、被挿入部１２，２２，３２或いは劣化したガスケット５１の直下位置に前記主樋状部１４，水下樋状部２３及び水上樋状部３３が位置することになり、前記被挿入部１２，２２，３２に装着されたそれぞれのガスケット５１の位置から雨漏りが生じても主樋状部１４，水下樋状部２３及び水上樋状部３３に漏れた雨水が確実に入り込むことができる（図３，図４参照）。
【００６７】
採光板支持体Ａからの雨水の浸入は、通常、採光板４の周囲から生じる。まず、両縦枠１，１の被挿入部１２，１２に装着されたガスケット５１箇所から浸入した雨水は、そのまま、主樋状部１４，１４に流れ込み、両主樋状部１４，１４を水上側から水下側に向かって流れる（図３，図４参照）。
【００６８】
前記採光板支持体Ａの水下側における水下横枠２の被挿入部２２に装着されたガスケット５１箇所から浸入した雨水は、水下樋状部２３に流れ込み、該水下樋状部２３の長手方向両端に交わる前記両主樋状部１４，１４に向かって流れる〔図３（Ｂ），図４参照〕。
【００６９】
さらに、採光板支持体Ａの水下側における水上横枠３の被挿入部３２から浸入した雨水は、水上樋状部３３に流れ込み、該水上樋状部３３の長手方向両端に交わる前記両主樋状部１４，１４の水上側の部分に向かって流れ、さらに両主樋状部１４，１４の水上側から水下側に向かって流れる〔図３（Ａ），図４参照〕。図４では、雨漏りの水の流れを点線矢印にて示してある。
【００７０】
前記両主樋状部１４，水下樋状部２３及び水上樋状部３３を流れる雨水は、連通孔１１ｃに装着された排水弁６から排水室部１３に流れ込み、さらに該排水室部１３に形成された排水孔１３ａから採光板支持体Ａの外部で、且つ外囲体Ｂの外部に排水される（図３，図４参照）。
【００７１】
このように、ガスケット５１は、経年変化により劣化したり、或いは初期からその装着状態が不具合であったために雨漏りが発生し易い状態となった場合等において、前記ガスケット５１箇所から、たとえ、雨漏りが生じたとしても、本発明における採光板支持体Ａでは、ガスケット５１箇所から漏れ出した雨水を、採光板支持体の外部に確実且つ効率的の排出することが出来るものである。
【符号の説明】
【００７２】
１…縦枠１、１１…縦主板、１１ａ…仕切り壁部、１２…被挿入部、１３…排水室部、
１３ａ…排水孔、１４…主樋状部、１４ｃ…切除部、１４ｄ…連通孔、１５…取付部、
２…水下横枠、２１…水下主板、２２…被挿入部、２３…水下樋状部、３…水上横枠、
３１…水上主板、３２…被挿入部、３３…水上樋状部、４…採光板、６…排水弁、
Ｂ…外囲体、Ｓ…採光開口部。
【図１】
2014114555.tif 000004
【図２】
2014114555.tif 000005
【図３】
2014114555.tif 000006
【図４】
2014114555.tif 000007
【図５】
2014114555.tif 000008
【図６】
2014114555.tif 000009
【図７】
2014114555.tif 000010